(57)【特許請求の範囲】
【請求項１】
対象機能について自機における設定操作を認証情報により制限される設定部と、
近距離無線通信部と、
該近距離無線通信部により受信した外部装置からの制御信号に応じて、前記対象機能の設定メニューを前記近距離無線通信部に送信させると共に、前記近距離無線通信部により前記外部装置から、前記設定メニューに含まれる設定項目に対する設定指示を示す設定信号を受信した際に、前記認証情報による認証なしに、前記設定信号に従って設定を行うように前記設定部を制御する制御部とを備えることを特徴とする移動通信端末。
【請求項２】
前記近距離無線通信部は、前記外部装置から前記制御信号を受信する非接触式ＩＣカードと、赤外線通信部とを備え、
前記制御部は、前記非接触式ＩＣカードにより受信した前記制御信号に応じて前記赤外線通信部を起動して前記設定メニューを送信させることを特徴とする請求項１に記載の移動通信端末。
【請求項３】
前記制御部は、前記設定メニューの送信後の所定の時間内に前記設定信号の受信が無い場合に、前記赤外線通信部の動作を停止させることを特徴とする請求項２に記載の移動通信端末装置。
【請求項４】
設定入力部と、
近距離無線通信部と、
対象機能について自機における設定操作を認証情報により制限される移動通信端末に対して前記対象機能の設定メニューを送信させるための制御信号を、前記近距離無線通信部に送信させると共に、前記制御信号に応じて前記移動通信端末から送信されてきた前記設定メニューに含まれる設定項目に対して、前記設定入力部から入力された設定指示を示すと共に、前記認証情報による認証を前記移動通信端末にバイパスさせる設定信号を、前記近距離無線通信部に送信させる制御部とを備えることを特徴とする外部制御装置。
【請求項５】
前記近距離通信部は、非接触式ＩＣカードと通信可能なＩＣカード通信部と、赤外線通信部とを備え、
前記制御部は、前記ＩＣカード通信部により移動通信端末に備えられた前記非接触式ＩＣカードの接近を感知した際に、前記ＩＣカード通信部に前記制御信号を送信させると共に、前記赤外線通信部を起動させて前記設定メニューの受信に備えることを特徴とする請求項４に記載の外部制御装置。
【請求項６】
移動通信端末と外部制御装置を有する制御システムにおいて、
前記移動通信端末は、
対象機能について自機における設定操作を認証情報により制限される設定部と、
近距離無線通信部と、
該近距離無線通信部により受信した外部装置からの制御信号に応じて、前記対象機能の設定メニューを前記近距離無線通信部に送信させると共に、前記近距離無線通信部により前記外部装置から、前記設定メニューに含まれる設定項目に対する設定指示を示す設定信号を受信した際に、前記認証情報による認証なしに、前記設定信号に従って設定を行うように前記設定部を制御する制御部とを備え、
前記外部制御装置は、
設定入力部と、
近距離無線通信部と、
前記移動通信端末に対して前記対象機能の設定メニューを送信させるための前記制御信号を、前記近距離無線通信部に送信させると共に、前記制御信号に応じて前記移動通信端末から送信されてきた前記設定メニューに含まれる設定項目に対して、前記設定入力部から入力された設定指示を示す示すと共に、前記認証情報による認証を前記移動通信端末にバイパスさせる前記設定信号を、前記近距離無線通信部に送信させる制御部とを備えることを特徴とする制御システム。
【請求項７】
近距離無線通信部と、対象機能について自機における設定操作を認証情報により制限される設定部とを備えた移動通信端末における前記近距離無線通信部により受信した外部装置からの制御信号に応じて、前記対象機能の設定メニューを前記近距離無線通信部に送信させると共に、前記近距離無線通信部により前記外部装置から、前記設定メニューに含まれる設定項目に対する設定指示を示す設定信号を受信した際に、前記認証情報による認証なしに、前記設定信号に従って設定を行うように前記設定部を制御することを特徴とする設定方法。
【請求項８】
設定入力部と近距離無線通信部を備えた外部制御装置において、対象機能について自機における設定操作を認証情報により制限される移動通信端末に対して前記対象機能の設定メニューを送信させるための制御信号を、前記近距離無線通信部に送信させると共に、前記制御信号に応じて前記移動通信端末から送信されてきた前記設定メニューに含まれる設定項目に対して、前記設定入力部から入力された設定指示を示すと共に、前記認証情報による認証を前記移動通信端末にバイパスさせる設定信号を、前記近距離無線通信部に送信させることを特徴とする外部制御方法。
【請求項９】
近距離無線通信部と、対象機能について自機における設定操作を認証情報により制限される設定部とを備えた移動通信端末における前記近距離無線通信部により受信した外部装置からの制御信号に応じて、前記対象機能の設定メニューを前記近距離無線通信部に送信させると共に、前記近距離無線通信部により前記外部装置から、前記設定メニューに含まれる設定項目に対する設定指示を示す設定信号を受信した際に、前記認証情報による認証なしに、前記設定信号に従って設定を行うように前記設定部を制御することをコンピュータに実行せしめることを特徴とするプログラム。
【請求項１０】
設定入力部と近距離無線通信部を備えた外部制御装置において、対象機能について自機における設定操作を認証情報により制限される移動通信端末に対して前記対象機能の設定メニューを送信させるための制御信号を、前記近距離無線通信部に送信させると共に、前記制御信号に応じて前記移動通信端末から送信されてきた前記設定メニューに含まれる設定項目に対して、前記設定入力部から入力された設定指示を示すと共に、前記認証情報による認証を前記移動通信端末にバイパスさせる設定信号を、前記近距離無線通信部に送信させることをコンピュータに実行させることを特徴とするプログラム。
【発明の詳細な説明】
【技術分野】
【０００１】
本発明は、移動通信端末の制御、具体的には自機における設定操作を認証情報により制限される対象機能の設定を外部から制御する技術に関する。
【背景技術】
【０００２】
携帯電話機などの移動通信端末は、認証情報により設定操作が制限される機能を備えるものが多い。例えば、子供向け防犯機能付きの携帯電話機には、ＧＰＳ情報により子供の所在地を常に把握できるように、携帯電話機の電源を切断できないように設定できるものがある。このような携帯電話機では、携帯電話機の電源の切断を禁止するかしないかの設定に際して、認証情報の入力が無いまたは入力された認証情報が正しくないと、設定操作ができないようになっている。認証情報としては、パスワードが最も普及されているが、近年、顔写真、指紋、虹彩乃至声紋などの認証情報に対応する移動通信端末もある。
【０００３】
一方、航空関連施設や病院など無線機器の使用制限区域では、移動通信端末の電源切断が要求される。このような区域において、移動通信端末の所持者がパスワードを忘れた場合や、子供向け防犯機能付きの携帯電話機のように防犯機能関連の設定者と所持者が異なり所持者が認証情報を提供できない場合など、所持者による設定ができず、電源切断ができない問題がある。
【０００４】
特許文献１には、この問題を解決する手法が開示されている。この手法は、撮影や通話などが禁止されている場所に外部装置を設け、外部装置から携帯電話機の電源オン／オフを指示する信号を携帯電話機に送信する。携帯電話機では、この信号を受信すると、認証情報による認証処理をバイパスして、信号による指示に応じて自機の電源オン／オフを制御する。
【０００５】
また、特許文献２にも、外部装置からの信号によりこの問題を解決する手法が開示されている。この手法では、携帯電話機が外部装置からキー操作のロック解除を指示する信号を受信すると、キー操作のロックを解除する。こうすることにより、携帯電話機の所持者は、パスワードなどの認証情報を提供できなくてもキー操作ができ、電源切断などの操作が可能になる。
【特許文献１】特開２００６−３５２３９２号公報
【特許文献２】特開平９−９８４８８号公報
【発明の開示】
【発明が解決しようとする課題】
【０００６】
ところで、特許文献１の手法のように、携帯電話機が外部装置からの指示信号を受信するだけで、その指示信号に応じて電源をオン／オフするのでは、悪意のあるものにより携帯電話機の電源を簡単に切断してしまう。例えば防犯機能付きの携帯電話機の場合には、防犯機能が無力化されてしまい、セキュリティ性が欠如するという恐れがある。
特許文献２の手法についても同様である。
【０００７】
本発明は、上記事情に鑑みてなされたものであり、移動通信端末の所持者が認証情報を提供できない場合にも、認証情報により設定操作が制限される機能の設定を可能にすると共に、セキュリティ性の欠如を防ぐことができる技術を提供する。
【課題を解決するための手段】
【０００８】
本発明の一つの態様は、移動通信端末である。この移動通信端末は、対象機能について自機における設定操作を認証情報により制限しうる設定部と、近距離無線通信部と、該近距離無線通信部により受信した外部装置からの制御信号に応じて、対象機能の設定メニューを近距離無線通信部に送信させると共に、近距離無線通信部により受信した外部装置からの、上記設定メニューに含まれる設定項目に対する設定指示を示す設定信号に従って設定を行うように設定部を制御する制御部を備える。
【０００９】
本発明の別の態様は、外部制御装置である。この外部制御装置は、設定入力部と、近距離無線通信部と、対象機能について自機における設定操作を認証情報により制限しうる移動通信端末に対して上記対象機能の設定メニューを送信させるための制御信号を、近距離無線通信部に送信させると共に、該制御信号に応じて移動通信端末から送信されてきた設定メニューに含まれる設定項目に対して、設定入力部から入力された設定指示を示す設定信号を、近距離無線通信部に送信させる制御部を備える。
【００１０】
なお、上記各態様の装置を方法やシステム、またはコンピュータを当該装置として動作せしめるプログラムとして置き換えて表現したものも、本発明の態様として有効である。
【００１１】
同様に、上記態様の装置を組み合わせて得たシステム、および該システムを方法や、その機能の一部をコンピュータに実行せしめるプログラムとして置き換えて表現したものも、本発明の態様として有効である。
【発明の効果】
【００１２】
本発明にかかる技術によれば、移動通信端末の所持者が認証情報を提供できない場合にも、認証情報により設定操作が制限される機能の設定を可能にすると共に、セキュリティ性の欠如を防ぐことができる。
【発明を実施するための最良の形態】
【００１３】
以下の説明に用いられる図面に、様々な処理を行う機能ブロックとして記載される各要素は、ハードウェア的には、プロセッサ、メモリ、その他の回路で構成することができ、ソフトウェア的には、メモリに記録された、またはロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。また、分かりやすいように、これらの図面において、本発明の技術を説明するために必要なもののみを示す。
【００１４】
本発明の具体的な実施の形態を説明する前に、まず、本発明の原理を説明する。
図１は、本発明にかかる技術に基づく移動通信端末の模式図の例である。図示のように、移動通信端末１０は、近距離無線通信部１２と、制御部１４と、設定部１６を備える。移動通信端末１０は、電源切断の禁止／許可や、アドレス帳のアクセス禁止／許可など、自機において設定操作する際に認証情報の入力が必要な機能を備え、このような、認証情報により自機における設定操作が制限される機能を以下対象機能という。また、認証情報は、移動通信端末１０の仕様に定められ、予め移動通信端末１０に登録されている。その内容は、パスワードをはじめ、指紋、虹彩、声紋、顔写真などのうちのいずれか１つまたは複数の組合せでありうる。
【００１５】
設定部１６は、例えば図示しない入力部を介した設定操作に従って移動通信端末１０の様々な機能を設定するものであり、移動通信端末１０において上記対象機能に対する設定操作の際に、認証情報の入力が要求されるようになっている。すなわち、移動通信端末１０において上記対象機能の設定を行う際に、認証情報の入力が無い、または入力された認証情報が正しくないと、これらの設定ができない。また、設定部１６は、制御部１４の制御に従った設定も可能であり、これについては後述する。
【００１６】
近距離無線通信部１２は、近距離に設置された外部装置と無線通信を行うことが可能であり、非接触式ＩＣカードや、赤外線通信部などを例として挙げることができる。
【００１７】
制御部１４は、近距離無線通信部１２により外部装置から制御信号を受信すると、外部装置に対して、上述した対象機能の設定メニューを近距離無線通信部１２に送信させる。その後、近距離無線通信部１２により受信した設定信号に従って設定を行うように設定部１６を制御する。なお、設定信号は、上記設定メニューを受信した外部装置から、設定メニューに含まれる設定項目に対する設定指示を示すものである。
【００１８】
すなわち、本発明の技術に基づく移動通信端末１０は、自機における設定操作が認証情報により制限される対象機能について、外部装置から制御信号を受信した際に、対象機能の設定メニューを外部装置に送信し、そして、設定メニューを受信した外部装置から返送されてきた設定信号に従って対象機能の設定を行う。こうすることにより、対象機能に対して、自機における設定操作の場合には、認証情報により制限することができると共に、外部装置からの設定操作の場合には、認証情報による制限をバイパスすることができる。さらに、外部装置からの設定操作は、外部装置に送信された設定メニューに基づいて、外部装置の操作権利を有するもの例えば施設の係員により行われるので、セキュリティ性を高めることができる。
【００１９】
図２は、本発明にかかる技術に基づく外部制御装置２０の模式図である。外部制御装置２０は、近距離無線通信部２２と、制御部２４と、設定入力部２６を備える。
【００２０】
近距離無線通信部２２は、近距離に位置する移動通信端末装置などに設けられた近距離無線通信部と無線通信を行うことが可能であり、たとえば、非接触式ＩＣカードと通信するＩＣカード通信部や、赤外線通信部を例として挙げることができる。
【００２１】
制御部２４は、設定メニューの送信を指示する制御信号を近距離無線通信部２２に送信させる機能と、該制御信号に応じて送信されてきた上記設定メニューに含まれる設定項目に対する設定指示を示す設定信号を近距離無線通信部２２に送信させる機能を有する。なお、設定指示は、設定入力部２６を介して入力される。
【００２２】
すなわち、本発明の技術に基づく外部制御装置２０は、近距離に位置する移動通信端末に設定メニューの送信を要求することができると共に、該要求に応じて移動通信端末から送信されてきた設定メニューに含まれる設定項目に対して外部制御装置２０の操作者による設定が可能である。このような外部制御装置２０と、図１に示す移動通信端末１０とを組み合わせることによって、移動通信端末の所持者が認証情報を提供できない場合にも、認証情報により設定操作が制限される機能の設定を可能にすると共に、セキュリティ性の欠如を防ぐことができる。
【００２３】
本発明にかかる技術では、移動通信端末１０および外部制御装置２０に備えられる近距離無線通信部は、１種類の方式のみに対応するとは限らない。図３と図４を参照して説明する。
【００２４】
図３は、本発明の技術にかかる移動通信端末の模式図の別の例である。この移動通信端末３０は、近距離無線通信部３２と、制御部３４と、設定部３６を備える。近距離無線通信部３２は、非接触式ＩＣカード３２Ａと赤外線通信部３２Ｂを有する。移動通信端末３０において、非接触式ＩＣカード３２Ａは、外部装置からの制御信号の受信機能を担う。制御部３４は、非接触式ＩＣカード３２Ａが外部装置から制御信号を受信すると、赤外線通信部３２Ｂを起動して、対象機能の設定メニューを赤外線通信部３２Ｂに送信させる。なお、その後、外部装置からの設定信号の受信は、非接触式ＩＣカード３２Ａと赤外線通信部３２Ｂのいずれによって行われてもよい。また、設定部３６の動作と、制御部３４が設定部３６に対する制御は、図１に示す移動通信端末１０における設定部１６の動作と、制御部１４が設定部１６に対する制御とそれぞれ同じであるので、ここで説明を省略する。
【００２５】
通常、赤外線通信部を備えた移動通信端末の多くは、赤外線通信部が常に起動しているわけではなく、ユーザの手動操作により起動される。また、赤外線通信部を起動するために、なんらかの認証情報の入力が必要である場合も多い。なお、この認証情報は、必ずしも対象機能の設定操作に対して設けられた認証情報と同一であるとは限らない。
【００２６】
一方、非接触性ＩＣカードは、内部にアンテナを持ち、外部装置が発信する弱い電波を利用して送受信する。また、非接触性ＩＣカードは、自身が動作するための電気も電波から生成し、電池なしで動作できるため、常時起動されても電源消費の問題が無い。
【００２７】
そのため、移動通信端末３０のような構成は、図１に示す移動通信端末１０と同様の機能を果たすことができると共に、通常、赤外線通信部３２Ｂが起動されなくてもよいので、電源消費を節約することができる。また、設定メニューの送信や、設定信号の受信を赤外線通信部３２Ｂにより担うことにより、非接触式ＩＣカード３２Ａの通信負担が軽減される。さらに、制御部３４により赤外線通信部３２Ｂを起動するので、移動通信端末３０の所持者が赤外線通信部３２Ｂを起動するための認証情報を提供できない場合でも、赤外線通信部３２Ｂを介してデータの送受信が可能である。
【００２８】
図４は、本発明の技術にかかる外部制御装置の模式図の別の例である。この外部制御装置４０は、移動通信端末３０に対応するものであり、近距離無線通信部４２と、制御部４４と、設定入力部４６を備える。近距離無線通信部４２は、非接触式ＩＣカードと通信を行うＩＣカード通信部４２Ａと、赤外線通信部４２Ｂを有する。
【００２９】
ＩＣカード通信部４２Ａは、非接触式ＩＣカードと通信を行うための微弱な電波を常に送出しており、近距離に位置する例えば移動通信端末３０に設けられた非接触式ＩＣカード３２Ａの接近を感知することができる。
【００３０】
制御部４４は、ＩＣカード通信部４２Ａが非接触式ＩＣカード３２Ａの接近を感知すると、設定メニューの送信を要求する制御信号をＩＣカード通信部４２Ａに送信させると共に、赤外線通信部４２Ｂを起動して、設定メニューの受信に備える。その後、赤外線通信部４２Ｂにより受信した設定メニューを設定入力部４６に転送し、設定入力部４６を介して操作者が入力した設定指示を示す設計信号を近距離無線通信部４２Ｂに送信させる。なお、設計信号の送信をＩＣカード通信部４２Ａにより担うようにしてもよい。
【００３１】
外部制御装置４０のような構成は、図２に示す外部制御装置２０と同様の機能を果たすことができると共に、赤外線通信部４２Ｂは必要に応じて起動されるので、電源消費を抑制することができる。
【００３２】
さらに、外部制御装置４０は、図４に示すように全ての機能が同一の筐体に設けられてもよいが、たとえばＩＣカード通信部４２Ａと制御部４４が１つの筐体に設けられ、赤外線通信部４２Ｂと設定入力部４６が他の１つの筐体に設けられるようにしてもよい。
【００３３】
以上の説明を踏まえて本発明の実施の形態を説明する。
図５は、本発明の実施の形態にかかる制御システム１００を示す。この制御システム１００は、携帯電話機を対象とし、携帯電話機１１０と、第１の外部装置１５０と、第２の外部装置１６０を備える。
【００３４】
携帯電話機１１０は、アンテナ１１１と、アンテナ１１１を介して通話やパケット通信を行うための送受信部１１２と、ユーザによる各種入力をするための操作部１１３と、携帯電話機１１０の動作プログラムや各種情報（後述する認証情報を含む）を記憶する情報記憶部１１４と、携帯電話機１１０の各種機能の設定を行う設定部１１５と、携帯電話機１１０の他の各機能ブロックを制御する制御部１２０と、近距離無線通信部１３０を有する。近距離無線通信部１３０は、非接触式ＩＣカード１３１と赤外線通信部１３５を備える。非接触式ＩＣカード１３１は、送受信部１３２と、非接触式ＩＣカード１３１が動作するための各種情報を記憶する情報記憶部１３３と、送受信部１３２を制御する制御部１３４を有する。赤外線通信部１３５は、送受信部１３６と、赤外線通信部１３５が動作するための各種情報および設定メニューを記憶する情報記憶部１３７と、送受信部１３６を制御する制御部１３８を有する。なお、設定部１１５は、操作部１１３を介した設定指示に対して、一部の機能（以下対象機能という）についての設定操作を認証情報により制限し、認証情報が正しく入力されないと、対象機能の設定を拒否する。この認証情報は、例えばパスワードであり、予め情報記憶部１１４に登録されている。なお、赤外線通信部１３５における情報記憶部１３７に記憶された設定メニューは、上記対象機能の設定メニューである。
【００３５】
第１の外部装置１５０は、非接触式ＩＣカードと通信可能であり、送受信部１５２と、送受信部１５２および後述する第２の外部装置１６０における制御部１６３を制御する制御部１５４と、第１の外部装置１５０が動作するための各種情報を記憶する情報記憶部１５６を備える。
【００３６】
第２の外部装置１６０は、赤外線方式による通信が可能であり、送受信部１６１と、第２の外部装置１６０が動作するための各種情報を記憶する情報記憶部１６２と、設定入力部１６４と、送受信部１６１および設定入力部１６４を制御する制御部１６３を備える。また、設定入力部１６４は、表示部１６５と、オペレータが各種入力をするための操作部１６６を有する。
【００３７】
次いで、携帯電話機１１０が防犯機能の１つである「電源切断禁止」に設定され、パスワードを入力しないと、「電源切断禁止」の設定を解除できない場合を例にして制御システム１００において行われる処理を説明する。また、飛行機を搭乗しようとする携帯電話機１１０の所持者がパスワードを忘れてしまい、電源を切断できないため、第１の外部装置１５０と第２の外部装置１６０が設置された空港のチェックインカウンタに行き、携帯電話機１１０をチェックインカウンタの係員に渡した場面を例とする。
【００３８】
図６は、この場合において制御システム１００における処理を示すフローチャートである。チェックインカウンタの係員が所持者から携帯電話機１１０を受け取ると携帯電話機１１０を第１の外部装置１５０に翳すことにより、第１の外部装置１５０の送受信部１５２は、携帯電話機１１０に備えられた非接触式ＩＣカード１３１の接近を感知する（Ｓ１００）。第１の外部装置１５０の制御部１５４は、これに応じて、設定メニューの送信を要求する制御信号を携帯電話機１１０に送信すると共に、第２の外部装置１６０を起動させる信号を第２の外部装置１６０に送信する（Ｓ１１０、Ｓ１２０）。そして、第１の外部装置１５０の制御部１５４は、送受信部１５２の動作を停止する（Ｓ１３０）。
【００３９】
携帯電話機１１０では、非接触式ＩＣカード１３１の送受信部１３２により第１の外部装置１５０からの制御信号を受信すると、制御部１３４はその旨を制御部１２０に通知し、制御部１２０は、赤外線通信部１３５を起動する（Ｓ２００）。起動された赤外線通信部１３５の制御部１３８は、通信準備が完了したことを示す信号を送受信部１３６に送信させる（Ｓ２１２）。これに並行して、第２の外部装置１６０では、制御部１６３は、第１の外部装置１５０かの起動信号に応じて他の各機能ブロックを起動すると共に、通信準備が完了したことを示す信号を送受信部１６１に送信させる（Ｓ３１２）。
【００４０】
携帯電話機１１０の赤外線通信部１３５と第２の外部装置１６０は、互いに準備完了信号を受信することをもって、通信可能になる。携帯電話機１１０の制御部１２０は、赤外線通信部１３５の制御部１３８を介して、設定メニューの送信を送受信部１３６に行わせる（Ｓ２１４）。この設定メニューは、携帯電話機１１０の上述した対象機能の設定メニューである。
【００４１】
第２の外部装置１６０では、送受信部１６１により携帯電話機１１０からの設定メニューを受信すると、制御部１６３は、設定入力部１６４に設定を行わせる（Ｓ３１４〜Ｓ３２０）。具体的には、設定入力部１６４において、表示部１６５は、携帯電話機１１０からの設定メニューを表示して係員による設定操作に供する（Ｓ３１４）。制御部１６３は、操作部１６６を介して係員が行った設定を示す設定信号を送受信部１６１に送信させる（Ｓ３１６、Ｓ３１８）。ステップＳ３１４〜ステップＳ３１８の処理は、操作部１６６を介して係員が「終了」を示す入力をするまで繰り返される（Ｓ３２０：Ｎｏ、Ｓ３１４〜）。また、操作部１６６を介して「終了」を示す入力がなされる（Ｓ３２０：Ｙｅｓ）、第２の外部装置１６０の制御部１６３は、携帯電話機１１０に対して切断信号を送受信部１６１に送信させると共に、第１の外部装置１５０に対して起動信号を送信する（Ｓ３２２、Ｓ３４４）。第２の外部装置１６０は、これにて処理を終了する。
【００４２】
携帯電話機１１０では、制御部１２０は、赤外線通信部１３５による設定メニューの送信に伴って、図示しないタイマーを起動する（Ｓ２１６）。その後、タイマーのカウント値が所定の時間Ｔ以内であり、かつ切断信号を受信していない限り、設定信号を受信するたびに、タイマーのカウント値を０に戻すと共に、設定信号に従った設定を設定部１１５に行わせる（Ｓ２２０：Ｙｅｓ、Ｓ２２４、Ｓ２２６、Ｓ２２８：Ｎｏ、Ｓ２２０〜）。なお、ステップＳ２２２において受信した設定信号は、ステップＳ３１８において第２の外部装置１６０から送信されたものである。また、制御部１２０は、タイマーのカウント値がＴに達したとき、または切断信号を受信したときに（Ｓ２２０：Ｎｏ、Ｓ２２８：Ｙｅｓ）、赤外線通信部１３５を停止する（Ｓ２３０）。なお、切断信号は、ステップＳ３２２において第２の外部装置１６０から送信されたものである。
【００４３】
携帯電話機１１０は、赤外線通信部１３５の動作停止をもって、処理を終了する。
【００４４】
また、第１の外部装置１５０では、ステップＳ３２４において第２の外部装置１６０から起動信号を受信すると、制御部１５４は、ステップＳ１３０において停止させた送受信部１５２を起動し、次に接近する非接触式ＩＣカードの感知に備える（Ｓ１４０）。
【００４５】
制御システム１００は、本発明にかかる技術の原理を説明するために用いた移動通信端末１０および移動通信端末３０、外部制御装置２０外部制御装置４０の実施の形態であり、これらの装置と同様の効果を得ることができる。
【００４６】
また、制御システム１００において、携帯電話機１１０は、設定メニューの送信後に、所定の時間Ｔ以内に第２の外部装置１６０から設定信号を受信しなければ赤外線通信部１３５を停止する。こうすることにより、何らかの理由で第２の外部装置１６０において設定操作ができなかった場合に、赤外線通信部１３５の長時間の無駄な起動を防ぐことができる。
【００４７】
以上、実施の形態をもとに本発明を説明した。実施の形態は例示であり、本発明の主旨から逸脱しない限り、さまざまな変更、増減を加えてもよい。これらの変更、増減が加えられた変形例も本発明の範囲にあることは当業者に理解されるところである。
【図面の簡単な説明】
【００４８】
【図１】本発明にかかる技術の原理を説明するための移動通信端末の模式図である（その１）。
【図２】本発明にかかる技術の原理を説明するための外部制御装置の模式図である（その１）。
【図３】本発明にかかる技術の原理を説明するための移動通信端末の模式図である（その２）。
【図４】本発明にかかる技術の原理を説明するための外部制御装置の模式図である（その２）。
【図５】本発明の実施の形態にかかる制御システムを示す図である。
【図６】図６に示す制御システムにおける処理の例を示すフローチャートである。
【符号の説明】
【００４９】
１０  移動通信端末  １２  近距離無線通信部
１４  制御部  １６  設定部
２０  外部制御装置  ２２  近距離無線通信部
２４  制御部  ２６  設定入力部
３０  移動通信端末  ３２  近距離無線通信部
３２Ａ  非接触式ＩＣカード  ３２Ｂ  赤外線通信部
３４  制御部  ３６  設定部
４０  外部制御装置  ４２  近距離無線通信部
４２Ａ  ＩＣカード通信部  ４２Ｂ  赤外線通信部
４４  制御部  ４６  設定入力部
１００  制御システム  １１０  携帯電話機
１１１  アンテナ  １１２  送受信部
１１３  操作部  １１４  情報記憶部
１１５  設定部  １２０  制御部
１３０  近距離無線通信部  １３１  非接触式ＩＣカード
１３２  送受信部  １３３  情報記憶部
１３４  制御部  １３５  赤外線通信部
１３６  送受信部  １３７  情報記憶部
１３８  制御部  １５０  第１の外部装置
１５２  送受信部  １５４  制御部
１５６  情報記憶部  １６０  第２の外部装置
１６１  送受信部  １６２  情報記憶部
１６３  制御部  １６４  設定入力部
１６５  表示部  １６６  操作部
【図１】
0005125599.tif 000002
【図２】
0005125599.tif 000003
【図３】
0005125599.tif 000004
【図４】
0005125599.tif 000005
【図５】
0005125599.tif 000006
【図６】
0005125599.tif 000007